(57)【要約】      （修正有）【課題】熱放散を向上でき、埃の堆積を防止できるＬＥＤ街路灯を提供する。【解決手段】ＬＥＤ街路灯は、灯体１と、少なくとも１つのＬＥＤモジュール２と、電源３とを有する。灯体１は、少なくとも１つの熱放散部１１を有する。少なくとも１つの熱放散部１１のそれぞれは、２つの主フィン１１２，１１３を有する。主フィン１１２，１１３は、少なくとも１つの熱放散部１１のそれぞれを交差分割して４つの扇状領域１１４，１１５，１１６，１１７を形成する。各扇状領域１１４，１１５，１１６，１１７は多数の補助フィン１１４１，１１５１，１１６１，１１７１と多数の換気通路１１４２，１１５２，１１６２，１１７２を有する。少なくとも１つのＬＥＤモジュール２のそれぞれは、灯体１の少なくとも１つの熱放散部１１の１つに固着されている。上記の構造により、ＬＥＤ街路灯は熱放散を向上できると共に、換気通路１１４２，１１５２，１１６２，１１７２内に埃が容易に堆積しないようにできる。【選択図】図１
0003187124.tif 000002
【実用新案登録請求の範囲】
【請求項１】
1) 少なくとも１つの熱放散部（前記少なくとも１つの熱放散部のそれぞれが、i)コネクタと、ii)前記コネクタが交差中央部を形成する２つの交差する主フィンとを具備し、前記主フィンは前記少なくとも１つの熱放散部を４つの扇形領域に分割し、前記扇形領域は、相互に並行に配置される多数の補助フィン（前記各補助フィンの側部は前記主フィンの１つに連結される）と、多数の換気通路（前記各換気通路は隣接する前記補助フィン間に形成され、開口頂部と開口底部とを具備する）とを有する）と、
前記少なくとも１つの熱放散部の端部に形成される接続部と、を具備する灯体と、
2) それぞれが前記灯体の前記少なくとも１つの熱放散部の１つのコネクタに固着される少なくとも１つのＬＥＤモジュールと、
3) 前記灯体の前記接続部に取り付けられる電源と、を具備するＬＥＤ街灯。
【請求項２】
前記灯体は一回のダイキャストで成形可能であることを特徴とする請求項１記載のＬＥＤ街灯。
【請求項３】
前記灯体の接続部は、
頂面と、
前記接続部の前記頂面に間隔を開けて固着され、それぞれラックが取り付けられた２つの位置決め部と、を有し、
前記ＬＥＤ街灯は、さらに、前記灯体の前記位置決め部間に枢支連結される連結ブラケットを有し、その２つの側面に２つの歯車を取り付け、前記各歯車は前記位置決め部のラックの１つと対応し、前記歯車の歯は選択的に前記対応する歯車の歯に噛合することを特徴とする請求項１又は２記載のＬＥＤ街灯。
【請求項４】
前記灯体の接続部は、
高電圧ケーブル（前記高電圧ケーブルは２つの端部を有し、前記高電圧ケーブルの一端部は主電源に接続され、前記高電圧ケーブルの他の端部は前記電源の入力に接続される）を取り付けるための前記一方の位置決め部の近傍で前記接続部の前記頂面の一側から伸延する第１管と、
低電圧ケーブル（前記低電圧ケーブルは２つの端部を有し、前記低電圧ケーブルの一端部は前記ＬＥＤモジュールに接続され、前記低電圧ケーブルの他の端部は前記電源の出力に接続される）を取り付けるための前記他方の位置決め部の近傍で前記接続部の前記頂面の他側から伸延する第２管と、を具備することを特徴とする請求項３記載のＬＥＤ街灯。
【請求項５】
前記灯体の前記接続部の前記第１管にはシール材が充填され、前記第１管は、開口頂部と、前記第１管の前記開口頂部をシールする第１シーリングキャップとを有し、
前記灯体の前記接続部の前記第２管にはシール材が充填され、前記第２管は、開口頂部と、前記第２管の前記開口頂部をシールする第２シーリングキャップとを有することを特徴とする請求項４記載のＬＥＤ街灯。
【請求項６】
前記少なくとも１つのＬＥＤモジュールは、それぞれ、
前記ＬＥＤモジュールを被覆する光学レンズと、
前記光学レンズの周囲で前記灯体の前記熱放散部に取り付けられる第１シールリングと保持リングと、を有することを特徴とする請求項５記載のＬＥＤ街灯。
【請求項７】
前記灯体の前記少なくとも１つの熱放散部は、それぞれ、前記低電圧ケーブルと前記ＬＥＤモジュールとの間に接続されるＬＥＤ入力線を取り付けるため、前記コネクタの近傍に第３管を有することを特徴とする請求項６記載のＬＥＤ街灯。
【請求項８】
前記灯体の前記少なくとも１つの熱放散部のそれぞれが有する第３管には、シール材が充填されており、開口した頂部と、前記第３管の開口した前記頂部をシールする第３シールキャップと、を有することを特徴とする請求項７記載のＬＥＤ街灯。
【請求項９】
前記灯体の前記少なくとも１つの熱放散部の頂面を被覆しかつ多数の貫通孔を有するカバーを有することを特徴とする請求項８記載のＬＥＤ街灯。
【請求項１０】
前記灯体の前記少なくとも１つの熱放散部のそれぞれのコネクタは金属製でありかつ矩形断面を有することを特徴とする請求項１記載のＬＥＤ街灯。
【考案の詳細な説明】
【技術分野】
【０００１】
本発明は、ＬＥＤ街路灯、特に、熱放散を向上できかつ埃の堆積を防止できるＬＥＤ街路灯に関する。
【背景技術】
【０００２】
ＬＥＤ街路灯は、光源として、高輝度を有しかつ電力消費が少ない発光ダイオード（ＬＥＤs）を用いる。ＬＥＤの性能は動作環境における環境温度による。高環境温度でのＬＥＤの駆動は過熱状態や装置の故障をもたらす。従って、ＬＥＤの長寿命化を図るためには、ＬＥＤからの熱を放散するためのヒートシンクが求められる。
【０００３】
フィン付きのヒートシンクは、現在最も汎用されている型のヒートシンクである。フィン付きのヒートシンクは多数のフィンを有する。熱源からの熱は熱伝導によってフィンに伝達され、その後、フィンは熱を空気中に放熱する。しかし、熱を熱伝導のみによって放散するフィン付きのヒートシンクは、熱放散が遅く非効率的である。
【０００４】
中国特許２０１５５５０４７に開示されている従来のヒートシンクは、ダイキャスト製のヒートパイプ放熱器である。しかし、このヒートパイプ放熱器もまた、熱伝導のみによって熱を放散するため、熱放散が遅く非効率的である。
【０００５】
中国特許２０１５５５１９２に開示されている他の従来のヒートシンクは、孔を有する放熱器である。孔を通して空気を流すことによって、空気の対流と熱放散を促進する。しかし、孔に埃が堆積し易く、その結果、熱放散が低減する。さらに、孔に堆積した埃を取り除くのは困難である。
【先行技術文献】
【特許文献】
【０００６】
【特許文献１】中国特許２０１５５５０４７号公報
【特許文献１】中国特許２０１５５５１９２号公報
【考案の概要】
【０００７】
本発明の主たる目的は、以下の構成を有するＬＥＤ街路灯を提供することにある。即ち、ＬＥＤ街路灯は、灯体と、少なくとも１つのＬＥＤモジュールと、電源とを有する。灯体は、少なくとも１つの熱放散部を有する。少なくとも１つの熱放散部のそれぞれは、２つの主フィンを有する。主フィンは、少なくとも１つの熱放散部のそれぞれを交差分割して４つの扇状領域を形成する。各扇状領域は多数の補助フィンと多数の換気通路を有する。少なくとも１つのＬＥＤモジュールのそれぞれは、灯体の少なくとも１つの熱放散部の１つに固着されている。上記した構造によって、ＬＥＤ街路灯は熱放散を向上できると共に、換気通路内に埃が容易に堆積しないようにすることができる。
【図面の簡単な説明】
【０００８】
【図１】本発明に係るＬＥＤ街路灯の展開斜視図である。
【図２】カバーを取り除いた状態での図１に示すＬＥＤ街路灯の斜視図である。
【図３】図１におけるＬＥＤ街路灯の斜視図である。
【図４】本発明の他の実施例に係るＬＥＤ街路灯の展開斜視図である。
【図５】図４におけるＬＥＤ街路灯の底面図である。
【図６】カバーを取り除いた状態での図４におけるＬＥＤ街路灯の上面図である。
【図７】図４におけるＬＥＤ街路灯の底面斜視図である。
【図８】図４におけるＬＥＤ街路灯の上面斜視図である。
【考案を実施するための形態】
【０００９】
図１〜図３を参照して説明すると、本発明に係るＬＥＤ街路灯は、灯体１と、接続用ブラケット１２５と、少なくとも１つのＬＥＤモジュール２と、電源３と、カバー４とを有する。
【００１０】
灯体１は、一回のダイキャストで成形可能なものであり、少なくとも１つの熱放散部１１と、接続部１２とを有する。少なくとも１つの熱放散部１１は、それぞれ、底面と、コネクタ１１１と、２つの主フィン１１２、１１３とを有する。コネクタ１１１は金属製であり、矩形断面を有する。好ましくは、コネクタ１１１はアルミ合金製である。主フィン１１２、１１３は交差し、コネクタ１１１は交差中央部として機能する。主フィン１１２、１１３は、少なくとも１つの熱放散部１１のそれぞれを、４つの扇状領域１１４、１１５、１１６、１１７に分割する。各扇状領域１１４、１１５、１１６、１１７は、多数の補助フィン１１４１、１１５１、１１６１、１１７１と、多数の換気通路１１４２、１１５２、１１６２、１１７２とを有する。各扇状領域１１４、１１５、１１６、１１７の補助フィン１１４１、１１５１、１１６１、１１７１は相互に並行に配置され、各補助フィン１１４１、１１５１、１１６１、１１７１の側部は、主フィン１１２、１１３の１つに連結されている。各換気通路１１４２、１１５２、１１６２、１１７２は長尺であり、２つの隣接する補助フィン１１４１、１１５１、１１６１、１１７１間に形成されており、頂部と底部を開口している。接続部１２は少なくとも１つの熱放散部１１の端部に形成されており、頂面と、２つの位置決め部１２３、１２４と、第１管１２６及び第２管１２７とを有する。位置決め部１２３、１２４は接続部１２の頂面に固着され、かつ、間隔を開けて配置される。各位置決め部１２３、１２４にはラック１２３１，１２４１が取り付けられている。
【００１１】
第１管１２６と第２管１２７が接続部１２の頂面の２つの側部から伸延する。第１管１２６は、高圧ケーブルを取り付けるため、一方の位置決め部１２４に近接して設けられる。高圧ケーブルは２つの端部を有する。高圧ケーブルの一端部は主供給電源に接続され、その他端部は電源３の入力に接続されている。第１管１２６にはシール材が充填されており、開口した頂部と第１シールキャップ１２６１とを有する。第１シールキャップ１２６１は、第１管１２６の開口した頂部をシールする。第２管１２７は、低圧ケーブルを取り付けるため、他方の位置決め部１２３に近接して設けられる。低圧ケーブルは２つの端部を有する。低圧ケーブルの一端部はＬＥＤモジュール２に接続され、その他端部は電源３の出力に接続されている。第２管１２７にはシール材が充填されており、開口した頂部と第２シールキャップ１２７１とを有する。第２シールキャップ１２７１は、第２管１２７の開口した頂部をシールする。また、少なくとも１つの熱放散部１１のそれぞれは、ＬＥＤ入力線を取り付けるため、コネクタ１１１に近接して設けられた第３管１１８を有する。ＬＥＤ入力線は、低圧ケーブルとＬＥＤモジュール２との間に接続されている。第３管１１８にはシール材が充填されており、開口した頂部と第３シールキャップ１１８１とを有する。第３シールキャップ１１８１は、第３管１１８の開口した頂部をシールする。
【００１２】
連結ブラケット１２５が、灯体１の位置決め部１２３、１２４の間に枢支状態に連結されており、その２つの側面に２つの歯車１２５１を有する。各歯車１２５１は位置決め部１２３、１２４のラック１２３１、１２４１の１つと対応し、歯車１２５１の歯は選択的に対応するラック１２３１、１２４１の歯と噛合する。このように、灯体１は、灯柱に取り付けられる連結ブラケット１２５に対して異なった角度で設置される。
【００１３】
少なくとも１つのＬＥＤモジュール２のそれぞれは、灯体１の少なくとも１つの熱放散部１１の１つのコネクタ１１１の底面に固着され、光学レンズ２１と、第１シールリング２２と、保持リング２３とを有する。光学レンズ２１はＬＥＤモジュール２を被覆し、且つ透光性である。第１シールリング２２と保持リング２３は、光学レンズ２１を所定位置に保持するために、光学レンズ２１の近傍で、灯体１の熱放散部１１に取り付けられている。好適な実施例では、ＬＥＤ街路灯は、灯体１の１つの熱放散部１１と１つのＬＥＤモジュール２とを有する。
【００１４】
電源３は、灯体１の接続部１２に取り付けられており、第２シールリング３１と、保持板３２と、定電圧定電流源３４とを有する。第２シールリング３１と保持板３２は、電源３を所定位置に保持するため、灯体１の接続部１２に取り付けられる。
【００１５】
カバー４は、灯体１の少なくとも１つの熱放散部１１の頂面を被覆し、多数の貫通孔４１を有する。
【００１６】
本発明に係るＬＥＤ街路灯が使用されると、コネクタ１１１が熱をＬＥＤモジュール２から吸収し、その熱を主フィン１１２、１１３及び補助フィン１１４１、１１５１、１１６１、１１７１に熱伝導によって伝達し、その後、主フィン１１２、１１３、補助フィン１１４１、１１５１、１１６１、１１７１は、熱を空気中に放熱する。一方、換気通路１１４２、１１５２、１１６２、１１７２を通して空気が流れ、対流が促進される。その結果、ＬＥＤ街路灯は熱放散を向上できる。さらに、換気通路１１４２、１１５２、１１６２、１１７２は長尺であるため、換気通路１１４２、１１５２、１１６２、１１７２に埃が容易に堆積せず、かつ、換気通路１１４２、１１５２、１１６２、１１７２に埃が堆積した場合でも容易に除去できる。
【００１７】
図４〜図８に、上記した実施例に基づく他の実施例を示しており、ＬＥＤ街路灯は、１つの放散部１１と１つのＬＥＤモジュール２に代えて、灯体１の２つの放散部１１と２つのＬＥＤモジュール２とを有する。従って、ＬＥＤ街路灯は、上記した実施例と比較して、より高い輝度を生じることができ、より広幅の道に適用できる。さらに、電源３は、図４に示すように、絶縁フレーム３３を有する。絶縁フレーム３３は、定電圧電流源３４を受載するために、灯体１の接続部１２に固着される。
【図１】
0003187124.tif 000003
【図２】
0003187124.tif 000004
【図３】
0003187124.tif 000005
【図４】
0003187124.tif 000006
【図５】
0003187124.tif 000007
【図６】
0003187124.tif 000008
【図７】
0003187124.tif 000009
【図８】
0003187124.tif 000010
【手続補正書】
【提出日】平成25年9月11日(2013.9.11)
【手続補正１】
【補正対象書類名】実用新案登録請求の範囲
【補正対象項目名】請求項１
【補正方法】変更
【補正の内容】
【請求項１】
少なくとも１つの熱放散部と、前記少なくとも１つの熱放散部の端部に形成される接続部と、を具備する灯体と、
それぞれが前記灯体の前記少なくとも１つの熱放散部の１つのコネクタに固着される少なくとも１つのＬＥＤモジュールと、
前記灯体の前記接続部に取り付けられる電源と、を具備し、
前記少なくとも１つの熱放散部のそれぞれが、i）コネクタと、ii）前記コネクタが交差中央部を形成する２つの交差する主フィンとを具備し、前記主フィンは前記少なくとも１つの熱放散部を４つの扇形領域に分割し、前記扇形領域は、相互に並行に配置される多数の補助フィンと、多数の換気通路とを有し、
前記各補助フィンの側部は前記主フィンの１つに連結され、
前記各換気通路は隣接する前記補助フィン間に形成され、開口頂部と開口底部とを具備する、ことを特徴とするＬＥＤ街灯。
【手続補正２】
【補正対象書類名】実用新案登録請求の範囲
【補正対象項目名】請求項４
【補正方法】変更
【補正の内容】
【請求項４】
前記灯体の接続部は、
高電圧ケーブルを取り付けるための前記一方の位置決め部の近傍で前記接続部の前記頂面の一側から伸延する第１管と、
低電圧ケーブルを取り付けるための前記他方の位置決め部の近傍で前記接続部の前記頂面の他側から伸延する第２管と、を具備し、
前記高電圧ケーブルは２つの端部を有し、前記高電圧ケーブルの一端部は主電源に接続され、前記高電圧ケーブルの他の端部は前記電源の入力に接続され、
前記低電圧ケーブルは２つの端部を有し、前記低電圧ケーブルの一端部は前記ＬＥＤモジュールに接続され、前記低電圧ケーブルの他の端部は前記電源の出力に接続されることを特徴とする
請求項３記載のＬＥＤ街灯。